(57)【要約】【課題】接着剤によって装飾糸材を固着する際に、接着剤の量が多すぎた際に、凹状溝から接着剤が隆起したレンズ外周縁の側縁周面を処理し、レンズの光学面に付着することを防ぎ、見栄えがよく、更にはレーザ溶接を行うための技術や資機材などが不要で、安価で製造できるメガネレンズ及びそのメガネレンズを備えた縁無しメガネを提供すること。【解決手段】レンズ外周縁２の側縁周面３に凹状溝４を刻設すると共に、凹状溝４は、一部を、他部に比し、深く形成して深溝部５を形成し、凹状溝４中に接着剤８を充填した後に、凹状溝４中に略偏平状の装飾糸材７を嵌入し、凹状溝４から隆起した接着剤８は、切削し、しかも装飾糸材７は、深溝部５において略偏平面７１が前面に表われるようにすると共に、深溝部５以外の凹状溝４中において、略偏平状の端面７２が表われるように中途で捩る。【選択図】図２
2010152017.tif 000002
【特許請求の範囲】
【請求項１】
レンズ外周縁の側縁周面に凹状溝を刻設すると共に、
凹状溝は、一部を、他部に比し、深く形成して深溝部を形成し、
凹状溝中に接着剤を充填した後に、凹状溝中に略偏平状の装飾糸材を嵌入し、凹状溝から隆起した接着剤は、切削し、しかも装飾糸材は、深溝部において略偏平面が前面に表われるようにすると共に、深溝部以外の凹状溝中において、略偏平状の端面が表われるように中途で捩ることを特徴とするメガネレンズ。
【請求項２】
請求項１記載のメガネレンズにおいて、
前記凹状溝は、左右レンズのブリッジ金具の取付部分に対応するレンズ外周縁を他の外周縁と対比して、深く形成して深溝部を形成したことを特徴とするメガネレンズ。
【請求項３】
請求項１記載のメガネレンズにおいて、
前記凹状溝は、左右レンズの外側端部分のレンズ外周縁を他の外周縁と対比して、深く形成して深溝部を形成したことを特徴とするメガネレンズ。
【請求項４】
請求項１〜３のうちのいずれか一項に記載のメガネレンズにおいて、
前記凹状溝は、下方に向かって狭窄状の略テーパに形成したことを特徴とするメガネレンズ。
【請求項５】
請求項１〜４のうちのいずれか一項に記載のメガネレンズにおいて、
装飾糸材は、複数本の単糸を編成して形成したことを特徴とするメガネレンズ。
【請求項６】
レンズ外周縁の側縁周面に凹状溝を刻設すると共に、
凹状溝は、溝幅を広くした上段溝と溝幅を狭くした下段溝との二段階の深さに形成し、
下段溝中に接着剤を充填した後に、下段溝中に略偏平状の装飾糸材を嵌入し、更に上段溝中に細幅状の蓋テープで閉塞し、しかも装飾糸材は、深溝部において略偏平面が前面に表われるようにすると共に、深溝部以外の凹状溝中において、略偏平状の端面が表われるように中途で捩ることを特徴とするメガネレンズ。
【請求項７】
請求項１〜６のうちのいずれか一項に記載のメガネレンズを備えたことを特徴とする縁無しメガネ。
【発明の詳細な説明】
【技術分野】
【０００１】
本発明は、縁なしメガネ用のメガネレンズに関するものであり、特に、レンズ外周縁に装飾を施したことを特徴とするメガネレンズに関するものである。
【背景技術】
【０００２】
従来より、個性的なメガネを提供する手段としては、メガネフレーム自体を様々な素材・形状として提供したり、あるいは、サングラスなどのようにめがねレンズに着色を施して提供していることがほとんどであったが、最近では、ネジ孔を穿設し、ネジを用いてブリッジ金具と縁なしフレームとを取り着けることによって、ファッション性を高めた縁なしメガネが提供されている。
【０００３】
また、縁なし眼鏡の装飾性を高めるようにした従来技術としては、レンズ外周縁の側縁周面（以下、「コバ面」ともいう。）に凹状溝を刻設し、この凹状溝に金属粉、金属箔、染料、顔料のいずれか１つもしくは複数、または絹糸、毛糸、飾り糸、ラメ、合成樹脂製糸のいずれか１つもしくは複数を選択して配設し接着剤を充填したものが知られている（例えば、特許文献１参照。）。
【０００４】
また、見た目にもきれいで装飾糸材が容易に脱落することがなく、高い装飾性と高級感を得るために、眼鏡用レンズのコバ面に周設した凹状溝に熱伝導性の高い金属製の装飾糸材を挿入し、その端部をレーザ溶接によって接続した眼鏡用レンズおよびこのレンズを備えた縁無し眼鏡が知られている（例えば、特許文献２参照。）。
【特許文献１】特開２０００−３４７１４０号公報
【特許文献２】特開２００８−９６５９７号公報
【発明の開示】
【発明が解決しようとする課題】
【０００５】
しかしながら、特許文献１に記載の発明では、凹状溝の長さに切断した装飾糸材をレンズの外周に設けた凹状溝に挿入し、接着剤によって固着する際に、接着剤の量が少ないと装飾糸材が剥がれ易く、接着剤の量が多すぎるとレンズ外周縁の側縁周面を処理していないことから、凹状溝から接着剤がはみ出しレンズの光学面に付着したり、見栄えが悪くなったりするおそれがあった。
【０００６】
また、特許文献２に記載の発明では、眼鏡用レンズのコバ面に周設した凹状溝に熱伝導性の高い金属製の装飾糸材を挿入し、その端部をレーザ溶接によって接続したことから、凹状溝に接着剤を充填する必要はないものの、レーザ溶接を行うための技術や資機材などが必要となり、製造コストが上昇するという問題があった。
【０００７】
よって、本発明が解決しようとする課題は、接着剤によって装飾糸材を固着する際に、接着剤の量が多すぎた際に、凹状溝から接着剤が隆起したレンズ外周縁の側縁周面を処理し、レンズの光学面に付着することを防ぎ、見栄えがよく、更にはレーザ溶接を行うための技術や資機材などが不要で、安価で製造できるメガネレンズ及びそのメガネレンズを備えた縁無しメガネを提供することにある。
【課題を解決するための手段】
【０００８】
そこで、請求項１に係る本発明では、メガネレンズにおいて、レンズ外周縁の側縁周面に凹状溝を刻設すると共に、凹状溝は、一部を、他部に比し、深く形成して深溝部を形成し、凹状溝中に接着剤を充填した後に、凹状溝中に略偏平状の装飾糸材を嵌入し、凹状溝から隆起した接着剤は、切削し、しかも装飾糸材は、深溝部において略偏平面が前面に表われるようにすると共に、深溝部以外の凹状溝中において、略偏平状の端面が表われるように中途で捩ることを特徴とする。
【０００９】
また、請求項２に係る本発明では、請求項１に記載のメガネレンズにおいて、凹状溝は、左右レンズのブリッジ金具の取付部分に対応するレンズ外周縁を他の外周縁と対比して、深く形成して深溝部を形成したことを特徴とする。
【００１０】
また、請求項３に係る本発明では、請求項１に記載のメガネレンズにおいて、凹状溝は、左右レンズの外側端部分のレンズ外周縁を他の外周縁と対比して、深く形成して深溝部を形成したことを特徴とする。
【００１１】
また、請求項４に係る本発明では、請求項１〜３のうちのいずれか１項に記載のメガネレンズにおいて、凹状溝は、下方に向かって狭窄状の略テーパに形成したことを特徴とする。
【００１２】
また、請求項５に係る本発明では、請求項１〜４のうちのいずれか１項に記載のメガネレンズにおいて、装飾糸材は、複数本の単糸を編成して形成したことを特徴とする。
【００１３】
また、請求項６に係る本発明では、メガネレンズにおいて、レンズ外周縁の側縁周面に凹状溝を刻設すると共に、凹状溝は、溝幅を広くした上段溝と溝幅を狭くした下段溝との二段階の深さに形成し、下段溝中に接着剤を充填した後に、下段溝中に略偏平状の装飾糸材を嵌入し、更に上段溝中に細幅状の蓋テープで閉塞し、しかも装飾糸材は、深溝部において略偏平面が前面に表われるようにすると共に、深溝部以外の凹状溝中において、略偏平状の端面が表われるように中途で捩ることを特徴とする。
【００１４】
また、請求項７に係る本発明では、縁無しメガネにおいて、請求項１〜６のうちのいずれか一項に記載のメガネレンズを備えたことを特徴とする。
【発明の効果】
【００１５】
請求項１記載の本発明によれば、メガネレンズにおいて、凹状溝中に接着剤を充填した後に、凹状溝中に略偏平状の装飾糸材を嵌入し、凹状溝から隆起した接着剤は、切削したことから、接着剤がメガネレンズの光学面に付着することを防ぐことができ、見栄えがよく、更にはレーザ溶接を行うための技術や資機材などが不要となり、メガネレンズを安価で製造できる。しかも装飾糸材は、深溝部において略偏平面が前面に表われるようにすると共に、深溝部以外の凹状溝中において、略偏平状の端面が表われるように中途で捩ることから、装飾糸材の色彩や模様が見えるため、デザイン性が向上し、高い装飾性と高級感とを醸し出すことができる。
【００１６】
請求項２記載の本発明によれば、請求項１に記載のメガネレンズにおいて、凹状溝は、左右レンズのブリッジ金具の取付部分に対応するレンズ外周縁を他の外周縁と対比して、深く形成して深溝部を形成したことから、装飾糸材が、深溝部において略偏平面が前面に表われるようにすると共に、深溝部以外の凹状溝中において、略偏平状の端面が表われるように中途で捩る際に、視界を妨げることなく、高い装飾性と高級感とを醸し出すことができる。
【００１７】
請求項３記載の本発明によれば、請求項１に記載のメガネレンズにおいて、凹状溝は、左右レンズの外側端部分のレンズ外周縁を他の外周縁と対比して、深く形成して深溝部を形成したことから、装飾糸材が、深溝部において略偏平面が前面に表われるようにすると共に、深溝部以外の凹状溝中において、略偏平状の端面が表われるように中途で捩る際に、視界を妨げることない上に、より印象的に高い装飾性と高級感とを醸し出すことができる。
【００１８】
請求項４記載の本発明によれば、請求項１〜３のうちのいずれか１項に記載のメガネレンズにおいて、凹状溝は、下方に向かって狭窄状の略テーパに形成したことから、接着剤を用いて装飾糸材を固着させる際に、接着剤を密に充填させることができ、その結果、気泡が混入した状態で接着剤が固化することを防ぐことができる。従って、レンズを透して気泡が視認されないため見栄えを向上させることができる。また、装飾糸材を凹状溝に嵌入させやすくなり、作業性が向上し、短時間でメガネレンズを製作することができる。
【００１９】
請求項５記載の本発明によれば、請求項１〜４のうちのいずれか１項に記載のメガネレンズにおいて、装飾糸材は、複数本の単糸を編成して形成したことから、装飾糸材が、深溝部において略偏平面が前面に表われるようにすると共に、深溝部以外の凹状溝中において、略偏平状の端面が表われるように中途で捩る際に、装飾糸材の編み目が強調されることとなり、より印象的に高い装飾性と高級感とを醸し出すことができる。
【００２０】
請求項６記載の本発明によれば、メガネレンズにおいて、凹状溝は、溝幅を広くした上段溝と溝幅を狭くした下段溝との二段階の深さに形成し、下段溝中に接着剤を充填した後に、下段溝中に略偏平状の装飾糸材を嵌入し、更に上段溝中に細幅状の蓋テープで閉塞したことから、接着剤がメガネレンズの光学面に付着することを防ぐことができ、見栄えがよく、更にはレーザ溶接を行うための技術や資機材などが不要となり、メガネレンズを安価で製造できる。しかも装飾糸材は、深溝部において略偏平面が前面に表われるようにすると共に、深溝部以外の凹状溝中において、略偏平状の端面が表われるように中途で捩ることから、装飾糸材の色彩や模様が見えるため、デザイン性が向上し、高い装飾性と高級感とを醸し出すことができる。
【００２１】
請求項７記載の本発明によれば、縁無しメガネにおいて、請求項１〜６のうちのいずれか一項に記載のメガネレンズを備えたことから、上述の各効果を備えた縁無しメガネを提供することができる。
【発明を実施するための最良の形態】
【００２２】
以下に、本発明の第１実施形態の構成について図面を参照しながら説明する。
【００２３】
図１は、第１実施形態にかかるメガネレンズの製作過程の説明図であり、図２は、装飾糸材のメガネレンズへの嵌入に関する説明図であり、図３は、凹状溝の断面形状に関する説明図であり、図４は、縁無しメガネに関する説明図である。
【００２４】
本発明の第１実施形態に係るメガネレンズ１は、図１や図２や図４に示すように、レンズ外周縁２の側縁周面３に凹状溝４を有し、凹状溝４には、深溝部５が、一部を他部と比較して、深く形成されている。
【００２５】
また、メガネレンズ１は、図１に示すように、凹状溝４中に接着剤８を充填した後に、凹状溝４中に略偏平状の装飾糸材７が嵌入されており、装飾糸材７が嵌入されることで、凹状溝４から隆起した接着剤８が切削されている。
【００２６】
しかも、メガネレンズ１は、図２に示すように、装飾糸材７が、深溝部５において略偏平面７１が前面に表われるようにすると共に、深溝部５以外の凹状溝４中において、略偏平状の端面７２が表われるように中途で捩られている。
【００２７】
かかる構成とすることにより、メガネレンズ１は、凹状溝４中に接着剤８が充填された後に、凹状溝４中に略偏平状の装飾糸材７を嵌入されて、凹状溝４から隆起した接着剤８が切削されることから、接着剤８がメガネレンズ１の光学面に付着することを防ぐことができ、見栄えがよい。更にはレーザ溶接を行うための技術や資機材などが不要となり、メガネレンズ１を安価で製造できる。しかもメガネレンズ１は、装飾糸材７が、深溝部５において略偏平面７１が前面に表われるようにすると共に、深溝部５以外の凹状溝４中において、略偏平状の端面７２が表われるように中途で捩られることから、装飾糸材７の色彩や模様が見えるため、デザイン性が向上し、高い装飾性と高級感とを醸し出すことができる。
【００２８】
以下に、本発明の第１実施形態にかかるメガネレンズ１の各構成要素について、図面を参照しながら詳細に説明する。
【００２９】
レンズ外周縁２について説明する。レンズ外周縁２は、メガネレンズ１の外形を形成する外周縁である。
【００３０】
側縁周面３について説明する。側縁周面３は、図１や図２に示すように、メガネレンズ１の外形を形成するレンズ外周縁２を構成する平坦面であり、後述する凹状溝４が刻設される面である。
【００３１】
凹状溝４について説明する。凹状溝４は、図１に示すように、断面視略四角形の凹状の溝であり、後述する接着剤８が充填された後に、後述する装飾糸材７が嵌入させるための溝である。また、凹状溝４の形状は、様々な形状が考えられる。
【００３２】
つまり、凹状溝４は、図３（ａ）から図３（ｅ）に示すように、断面視の形状に様々な種類を有する。
【００３３】
凹状溝４は、例えば、図３（ａ）のように、凹状溝４の上部、すなわち、側縁周面３側が、広く開放状とし、レンズ内部に向かうにつれて、テーパ状に狭窄し、その下部では断面視略四角形の凹状の溝としたものがある。また、他にレンズ内部に向かうにつれて、テーパ状に狭窄する形状を有する凹状溝４としては、例えば、図３（ｄ）に示すように、断面視略台形の凹状の溝としたものがある。
【００３４】
凹状溝４は、例えば、図３（ｂ）や図３（ｃ）に示すように、断面視略三角形の凹状の溝とすることができる。
【００３５】
更に、凹状溝４は、例えば、図３（ｅ）に示すように、断面視略Ｕ字状の凹状の溝とすることができる。
【００３６】
深溝部５について説明する。深溝部５は、図２に示すように、凹状溝４が一部、他部と比較して深く形成している部分であり、後述する装飾糸材７の偏平面７１の色彩や模様が見えるように、深く形成されている。
【００３７】
深溝部５は、凹状溝４が左右レンズのブリッジ金具９１の取付部分に対応するレンズ外周縁（図示しない）を、他の外周縁と対比して、深く刻設されることで形成される。
【００３８】
深溝部５は、凹状溝４が左右レンズの外側端部分のレンズ外周縁２１を、他の外周縁と対比して、深く刻設されることで形成される。
【００３９】
また、深溝部５は、左右メガネレンズのブリッジ金具９１の取付部分に対応するレンズ外周縁、すなわち、左右レンズの内側端部分のレンズ外周縁、又は左右レンズの外側端部分のレンズ外周縁２１に刻設されるが、両側に同時に刻設されても構わない。
【００４０】
装飾糸材７について説明する。装飾糸材７は、例えば、絹糸、毛糸、飾り糸、ラメ、合成樹脂製糸のいずれか１つから構成されている。また、糸の種類を組み合わせて、構成することもできる。特に、絹糸を使用することにより、絹糸の有する美しさや高級感を、合わせ持つことができる。
【００４１】
更に、装飾糸材７は、複数本の単糸を編成して構成することもできる。単糸を編み合わせていることから、その編み目である模様を形成することができる。
【００４２】
接着剤８は、例えば、エポキシ樹脂系及びポリアミド樹脂系からなる化学反応形接着剤が用いられる。接着剤８は、凹状溝４に装飾糸材７を嵌入する前に充填され、装飾糸材７が嵌入されることで、凹状溝４から隆起した部分が切削される。
【００４３】
また、接着剤８は、例えば、紫外線硬化型接着剤を用いることができる。特に、主成分が変性アクリル樹脂系で無色透明の液状の紫外線硬化型接着剤を用いる。
【００４４】
かかる構成のメガネレンズ１を用いて、図４に示すように、縁無しメガネ９を製作することができる。
【００４５】
縁無しメガネ９は、左右一対のメガネレンズ１と、これらのメガネレンズ１を保持するメガネフレーム９０とで構成される。
【００４６】
メガネフレーム９０は、左右一対のメガネレンズ１の内側端部分を連結及び保持するブリッジ金具９１と、このブリッジ金具９１の左右に突設したクリングスに連設した左右一対のパッド９２と、左右の各メガネレンズ１の外側端部分を保持する左右一対の智９３と、智９３に丁番を介して、折り畳み自在に連結された左右一対のテンプル９４と、左右の各テンプル９４の後端部にそれぞれ一体に連設された左右一対のモダン９５とで構成されている。
【００４７】
更に、メガネフレーム９０は、ブリッジ金具９１の左右端部９１ａ及び左右の各智９３に突設したフランジ９３ａには雌ねじが螺設されており、図４に示すように、メガネレンズ１に穿設された取付孔に挿通したボルトをナットに螺合することで、左右一対のメガネレンズ１を保持するように構成されている。
【００４８】
以下に、第１実施形態にかかるメガネレンズ１の製作方法について図面を用いて説明する。
【００４９】
図１（ａ）は、凹状溝４を刻設する前のメガネレンズ１を示している。
【００５０】
まず、図１（ｂ）に示すように、メガネレンズ１のレンズ外周縁２の側縁周面３に凹状溝４を刻設する。このとき、凹状溝４は、図２に示すように、一部を、他部に比し、深く形成して深溝部５を形成する。
【００５１】
凹状溝４を刻設する際に、下方に向かって狭窄状の略テーパに形成しても構わない。
【００５２】
このように、凹状溝４が下方に向かって狭窄状の略テーパに刻設されることから、接着剤８を用いて装飾糸材７を固着させる際に、接着剤８を密に充填させることができ、その結果、気泡が混入した状態で接着剤８が固化することを防ぐことができる。従って、レンズを透して気泡が視認されないため見栄えを向上させることができる。また、装飾糸材７を凹状溝４に嵌入させやすくなり、作業性が向上し、短時間でメガネレンズ１を製作することができる。
【００５３】
また、メガネレンズ１のレンズ外周縁２の側縁周面３に凹状溝４を刻設し、深溝部５を形成する際に、左右レンズのブリッジ金具９１の取付部分に対応するレンズ外周縁を他の外周縁と対比して、深く形成しても構わない。
【００５４】
このように、装飾糸材７の偏平面７１を前面に見せるための深溝部５をメガネレンズ１の左右レンズのブリッジ金具９１の取付部分に対応するレンズ外周縁を他の外周縁と対比して、深く形成することによって、装飾糸材７の色彩や模様を見せることができるため、デザイン性が向上し、高い装飾性と高級感とを醸し出すことができる。
【００５５】
つまり、左右レンズのブリッジ金具９１の取付部分に対応するレンズ外周縁を他の外周縁と対比して、深く形成した場合には、このメガネレンズ１を取付けた縁無しメガネ９を使用者が装着することにより、顔の中心に他人の目を惹きつけることができ、その結果、他人に対して、縁無しメガネ９の装着者の顔を小さく見せる効果がある。
【００５６】
一方で、メガネレンズ１のレンズ外周縁２の側縁周面３に凹状溝４を刻設し、深溝部５を形成する際に、左右レンズの外側端部分のレンズ外周縁２１を他の外周縁と対比して、深く形成しても構わない。
【００５７】
このように、装飾糸材７の偏平面７１を前面に見せるための深溝部５をメガネレンズ１の左右レンズの外側端部分のレンズ外周縁２１を他の外周縁と対比して、深く形成することによって、装飾糸材７の色彩や模様を見せることができるため、デザイン性が向上し、高い装飾性と高級感とを醸し出すことができる。
【００５８】
つまり、左右レンズの外側端部分のレンズ外周縁２１を他の外周縁と対比して、深く形成した場合には、このメガネレンズ１を取付けた縁無しメガネ９を使用者が装着することにより、顔の輪郭付近に他人の目を惹きつけることができ、その結果、他人に対して、縁無しメガネ９の装着者の顔の形を際立たせる効果がある。
【００５９】
次に、図１（ｃ）から図１（ｅ）に示すように、凹状溝４中に接着剤８を充填し、その後に、凹状溝４中に略偏平状の装飾糸材７を嵌入する。
【００６０】
凹状溝４中に略偏平状の装飾糸材７を嵌入する際には、装飾糸材７は、図１に示すように、深溝部５において略偏平面７１が前面に表われるようにすると共に、深溝部５以外の凹状溝４中において、略偏平状の端面７２が表われるように中途で捩るようにする。
【００６１】
装飾糸材７は、絹糸、毛糸、飾り糸、ラメ、合成樹脂製糸などを使用するが、例えば、特に、蚕の品種の一つである小石丸が産する非常に上質の絹糸を使用することにより、絹糸の有する美しさや高級感を強調することができる。
【００６２】
また、装飾糸材７は、複数本の単糸を編成して形成する。よって、単糸を編み合わせていることから、その編み目である模様を楽しむこともできる。
【００６３】
なお、装飾糸材７は、前述のように、単糸、複数本の単糸、または複数本の単糸を編成して形成されている。装飾糸材７は、接着剤８含浸前の装飾糸材７の色彩と、接着剤８含浸後の装飾糸材７の色彩とがことなることから、接着剤８含浸後の装飾糸材７の見本を製作しておき、実際にメガネレンズ１の凹状溝４に嵌入された際の装飾糸材７の色彩として、予め顧客に装飾糸材７を選択させる。
【００６４】
つまり、装飾糸材７は、顧客の注文に応じて、予め事前に作製しておいたものを凹状溝４に嵌入するようになっている。
【００６５】
そして、図１（ｅ）から図１（ｆ）に示すように、凹状溝４から隆起した接着剤８は、切削し、装飾糸材７が凹状溝４から露出しないよう、レンズ外周縁２の側縁周面３を平坦に仕上げる。
【００６６】
ここで、接着剤８は、通常、エポキシ樹脂系及びポリアミド樹脂系からなる化学反応形接着剤を用いる。一方で、紫外線硬化型接着剤を用いることによって、接着作業時間が大幅に短縮することから、メガネレンズ１の製作時間を大幅に短縮することができる。
【００６７】
つまり、接着剤８は、前述のように、紫外線硬化型接着剤を用いた場合、接着作業時間が大幅に短縮することから、メガネレンズ１の急な製作依頼があった場合でも、納期を守ることができる。
【００６８】
更に、図４に示すように、上記の工程により製作したメガネレンズ１を用いることにより、縁無しメガネ９を製作する。
【００６９】
次に、本発明の第２実施形態の構成について図面を参照しながら説明する。
【００７０】
図５は、第２実施形態にかかるメガネレンズの製作過程の説明図である。
【００７１】
本発明の第２実施形態に係るメガネレンズ１は、図２に示すように、レンズ外周縁２の側縁周面３に凹状溝４を有し、凹状溝４には、深溝部５が、一部を他部と比較して、深く形成されている。
【００７２】
また、メガネレンズ１は、凹状溝４が、溝幅を広くした上段溝４１と溝幅を狭くした下段溝４２との二段階の深さに形成されており、下段溝４２中に接着剤８を充填した後に、下段溝４２中に略偏平状の装飾糸材７を嵌入され、更に、上段溝４１中において、細幅状の蓋テープ８１で装飾糸材７が、閉塞されている。
【００７３】
しかも、メガネレンズ１は、装飾糸材７が、深溝部５において略偏平面７１が前面に表われるようにすると共に、深溝部５以外の凹状溝４中において、略偏平状の端面７２が表われるように中途で捩られている。
【００７４】
かかる構成とすることにより、メガネレンズ１は、凹状溝４が、溝幅を広くした上段溝４１と溝幅を狭くした下段溝４２との二段階の深さに形成され、下段溝４２中に接着剤８を充填した後に、下段溝４２中に略偏平状の装飾糸材７を嵌入され、更に装飾糸材７が上段溝４１中を細幅状の蓋テープ８１で閉塞したことから、接着剤８がメガネレンズ１の光学面に付着することを防ぐことができ、見栄えがよく、更にはレーザ溶接を行うための技術や資機材などが不要となり、メガネレンズ１を安価で製造できる。しかも装飾糸材７は、第１実施形態と同様に、深溝部５において略偏平面７１が前面に表われるようにすると共に、深溝部５以外の凹状溝４中において、略偏平状の端面７２が表われるように中途で捩ることから、装飾糸材７の色彩や模様が見えるため、デザイン性が向上し、高い装飾性と高級感とを醸し出すことができる。
【００７５】
前述の第１実施形態と本第２実施形態との違いは、凹状溝４の形状と装飾糸材７を嵌入した後の閉塞手段との違いにある。
【００７６】
以下に、前述の第１実施形態とは異なる構成、すなわち凹状溝４と蓋テープ８１とについて、図面を用いて詳細に説明する。
【００７７】
第２実施形態にかかるメガネレンズ１を構成する凹状溝４について説明する。凹状溝４は、図５に示すように、溝幅を広くした上段溝４１と溝幅を狭くした下段溝４２との二段階の深さに形成されている。従って、溝の形状が断面視凸字状となっている。
【００７８】
次に、第２実施形態にかかるメガネレンズ１を構成する蓋テープ８１について説明する。蓋テープ８１は、第１実施形態において、隆起した接着剤８を切削してレンズ外周縁２の側縁周面３を平坦にして装飾糸材７を閉塞する代わりに、接着剤８が充填された装飾糸材７を凹状溝４に閉塞する際に、使用するテープである。
【００７９】
第２実施形態の凹状溝４は、断面視凸字状の特有の形状とすることより、蓋テープ８１で、装飾糸材７を嵌入した後の凹状溝４を閉塞する際に、閉塞しやすくすることができる。
【００８０】
すなわち、凹状溝４の上段溝４１の溝幅が幅広に形成されていることから、隆起した接着剤８が存在しなくなり、蓋テープ８１を、図５に示すように、上段溝４１と下段溝４２とによって形成される断面視凸字状の凹状溝４に合わせて貼着することにより、確実に装飾糸材７を閉塞できると共に、レンズ外周縁２の側縁周面３について、表面を処理する必要がなくなり、作業性を向上させることができる。
【００８１】
以下に、第２実施形態にかかるメガネレンズ１の製作方法について図面を用いて説明する。
【００８２】
第２実施形態にかかるメガネレンズ１の製作方法は、第１実施形態にかかるメガネレンズ１の製作方法が略同一であるが、凹状溝４の刻設と装飾糸材７が嵌入された凹状溝４の蓋テープ８１による閉塞とに関して、第１実施形態とは異なる部分があるので説明する。
【００８３】
図５（ａ）は、凹状溝４を刻設する前のメガネレンズ１を示している。
【００８４】
まず、図５（ｂ）に示すように、メガネレンズ１のレンズ外周縁２の側縁周面３に凹状溝４を刻設する。凹状溝４を刻設する際には、上段溝４１と下段溝４２とを設ける。なお、凹状溝４は、図２に示すように、一部を、他部に比し、深く形成して深溝部５を形成する。
【００８５】
凹状溝４を刻設する際に、特に、下段溝４２を下方に向かって狭窄状の略テーパに形成しても構わない。
【００８６】
このように、凹状溝４の下段溝４２が下方に向かって狭窄状の略テーパに刻設されることから、接着剤８を用いて装飾糸材７を固着させる際に、接着剤８を密に充填させることができ、その結果、気泡が混入した状態で接着剤８が固化することを防ぐことができる。従って、レンズを透して気泡が視認されないため見栄えを向上させることができる。また、装飾糸材７を凹状溝４に嵌入させやすくなり、作業性が向上し、短時間でメガネレンズ１を製作することができる。
【００８７】
また、メガネレンズ１のレンズ外周縁２の側縁周面３に凹状溝４として上段溝４１と下段溝４２とを刻設し、深溝部５を形成する際に、左右レンズのブリッジ金具９１の取付部分に対応するレンズ外周縁を他の外周縁と対比して、深く形成しても構わない。
【００８８】
このように、第１実施形態と同様に、装飾糸材７の偏平面７１を前面に見せるための深溝部５をメガネレンズ１の左右レンズのブリッジ金具９１の取付部分に対応するレンズ外周縁（図示しない）を他の外周縁と対比して、深く形成することによって、装飾糸材７の色彩や模様を見せることができるため、デザイン性が向上し、高い装飾性と高級感とを醸し出すことができる。
【００８９】
つまり、左右レンズのブリッジ金具９１の取付部分に対応するレンズ外周縁（図示しない）を他の外周縁と対比して、深く形成した場合には、このメガネレンズ１を用いた縁無しメガネ９を使用者が装着することにより、顔の中心に他人の目を惹きつけることができ、その結果、他人に対して、縁無しメガネ９の装着者の顔を小さく見せる効果がある。
【００９０】
一方で、メガネレンズ１のレンズ外周縁２の側縁周面３に凹状溝４として上段溝４１と下段溝４２とを刻設し、深溝部５を形成する際に、左右レンズの外側端部分のレンズ外周縁２１を他の外周縁と対比して、深く形成しても構わない。
【００９１】
このように、第１実施形態と同様に、装飾糸材７の偏平面７１を前面に見せるための深溝部５をメガネレンズ１の左右レンズの外側端部分のレンズ外周縁２１を他の外周縁と対比して、深く形成することによって、装飾糸材７の色彩や模様を見せることができるため、デザイン性が向上し、高い装飾性と高級感とを醸し出すことができる。
【００９２】
つまり、左右レンズの外側端部分のレンズ外周縁２１を他の外周縁と対比して、深く形成した場合には、このメガネレンズ１を取付けた縁無しメガネ９を使用者が装着することにより、顔の輪郭付近に他人の目を惹きつけることができ、その結果、他人に対して、縁無しメガネ９の装着者の顔の形を際立たせる効果がある。
【００９３】
次に、図５（ｃ）から図５（ｄ）に示すように、凹状溝４の下段溝４２中に接着剤８を充填し、その後に、凹状溝４の下段溝４２中に略偏平状の装飾糸材７を嵌入する。
【００９４】
凹状溝４の下段溝４２中に略偏平状の装飾糸材７を嵌入する際には、装飾糸材７は、図２に示すように、第１実施形態と同様に、深溝部５において略偏平面７１が前面に表われるようにすると共に、深溝部５以外の凹状溝４中において、略偏平状の端面７２が表われるように中途で捩るようにする。
【００９５】
装飾糸材７は、第１実施形態と同様に、絹糸、毛糸、飾り糸、ラメ、合成樹脂製糸などを使用するが、例えば、特に、蚕の品種の一つである小石丸が産する非常に上質の絹糸を使用することにより、絹糸の有する美しさや高級感を強調することができる。
【００９６】
また、装飾糸材７は、第１実施形態と同様に、複数本の単糸を編成して形成する。よって、単糸を編み合わせていることから、その編み目である模様を楽しむこともできる。
【００９７】
なお、装飾糸材７は、第１実施形態と同様に、前述のように、単糸、複数本の単糸、または複数本の単糸を編成して形成されている。装飾糸材７は、接着剤８含浸前の装飾糸材７の色彩と、接着剤８含浸後の装飾糸材７の色彩とがことなることから、接着剤８含浸後の装飾糸材７の見本を製作しておき、実際にメガネレンズ１の凹状溝４に嵌入された際の装飾糸材７の色彩として、予め顧客に装飾糸材７を選択させる。
【００９８】
つまり、装飾糸材７は、第１実施形態と同様に、顧客の注文に応じて、予め事前に作製しておいたものを凹状溝４に嵌入するようになっている。
【００９９】
そして、図５（ｄ）に示すように、蓋テープ８１を凹状溝４の上段溝４１に貼着することによって、装飾糸材７が凹状溝４から露出しないよう、レンズ外周縁２の側縁周面３を平坦に仕上げる。
【０１００】
なお、図５（ｅ）に示すように、凹状溝４の溝幅を広くした上段溝４１と溝幅を狭くした下段溝４２との二段階の深さに形成した場合であっても、蓋テープ８１を使用せず接着剤８を使用して装飾糸材７を凹状溝４に閉塞させても構わない。
【０１０１】
その際には、装飾糸材７が凹状溝４から露出しないよう、レンズ外周縁２の側縁周面３を平坦に仕上げる。すなわち、凹状溝４の上段溝４１から隆起した接着剤８は、切削され、レンズ外周縁２の側縁周面３は、装飾糸材７が凹状溝４の上段溝４１から露出しないよう、平坦に仕上げられる。
【０１０２】
蓋テープ８１を使用しない場合の接着剤８は、通常、エポキシ樹脂系及びポリアミド樹脂系からなる化学反応形接着剤を用いる。一方で、紫外線硬化型接着剤を用いることによって、接着作業時間が大幅に短縮することから、メガネレンズ１の製作時間を大幅に短縮することができる。
【０１０３】
つまり、接着剤８は、第１実施形態と同様に、紫外線硬化型接着剤を用いた場合、接着作業時間が大幅に短縮することから、メガネレンズ１の急な製作依頼があった場合でも、納期を守ることができる。
【０１０４】
更に、第１実施形態と同様に、図４に示すように、上記の工程により製作したメガネレンズ１を用いることにより、縁無しメガネ９を製作する。
【０１０５】
以上、本発明の好ましい実施形態について説明したが、本発明は係る特定の実施形態に限定されるものではなく、特許請求の範囲に記載された本発明の要旨の範囲内において、種々の変形・変更が可能である。
【図面の簡単な説明】
【０１０６】
【図１】本発明の第１実施形態にかかるメガネレンズの製作過程の説明図である。
【図２】装飾糸材のメガネレンズへの嵌入に関する説明図である。
【図３】凹状溝の断面形状に関する説明図である。
【図４】縁無しメガネに関する説明図である。
【図５】本発明の第２実施形態にかかるメガネレンズの製作過程の説明図である。
【符号の説明】
【０１０７】
１      メガネレンズ
２      レンズ外周縁
３      側縁周面
４      凹状溝
５      深溝部
７      装飾糸材
８      接着剤
９      縁無しメガネ
２１    （左右レンズの外側端部分の）レンズ外周縁
４１    上段溝
４２    下段溝
７１    偏平面
７２    端面
８１    蓋テープ
９０    メガネフレーム
９１    ブリッジ金具
９１ａ  左右端部
９２    パッド
９３    智
９３ａ  フランジ
９４    テンプル
９５    モダン
【図１】
2010152017.tif 000003
【図２】
2010152017.tif 000004
【図３】
2010152017.tif 000005
【図４】
2010152017.tif 000006
【図５】
2010152017.tif 000007